(57)【特許請求の範囲】
【請求項１】
床スラブ下面と天井板との間に閉空間を形成し、前記閉空間内に空気調和機を設け、前記空気調和機からの温調空気によって前記床スラブに蓄熱するように構成した躯体蓄熱型空気調和システムにおいて、
前記天井板の所定箇所に、前記閉空間から室内空間に温調空気を送る吹き出しファンを設けるとともに、前記室内空間からの空気を前記閉空間内に戻す連通路を設け
、前記天井板に、前記室内空間からの空気を前記閉空間内の前記床スラブに吹き付けるように戻して放熱させる吸い込みファンを設け、かつ、前記吸い込みファンの近くに、前記室内空間内の空気の温度を測定する室内用温度センサを設けるとともに空調運転開始信号を出力する空調開始手段を設け、前記室内用温度センサによる測定温度に基づいて、下記の第１、第２または第３の空調状態
［第１の空調状態：空調運転開始信号に応答して吹き出しファンのみを駆動する初期空調状態
第２の空調状態：前記吹き出しファンの駆動状態で、前記室内用温度センサによる測定温度が設定時間継続して設定空調温度に満たなくなったことを判別して前記吸い込みファンを駆動する放熱促進状態
第３の空調状態：前記吹き出しファンおよび前記吸い込みファンの駆動状態で、前記室内用温度センサによる測定温度が設定時間継続して設定空調温度に満たなくなったことを判別して、前記吸い込みファンの駆動を停止するとともに前記空気調和機を駆動する追いかけ運転状態］
が得られるように前記空気調和機、吹き出しファンおよび前記吸い込みファンを自動的に作動する制御手段を備えたことを特徴とする躯体蓄熱型空気調和システム。
【請求項２】
請求項１に記載の躯体蓄熱型空気調和システムにおいて、
空気調和機に吸い込み空気の温度を測定する閉空間用温度センサを設けるとともに、蓄熱運転開始信号を出力する蓄熱開始手段を設け、前記制御手段が、蓄熱運転開始信号に応答して前記空気調和機を駆動した後、前記閉空間用温度センサによる測定温度が設定温度を越えるとともに温度変化が無い状態が設定時間継続したことを判別して前記空気調和機の駆動を停止するものである躯体蓄熱型空気調和システム。
【発明の詳細な説明】
【０００１】
【発明の属する技術分野】
本発明は、床スラブ下面と天井板との間に閉空間を形成し、空気調和機からの温調空気（温風または冷風）を閉空間内に送風するとともに、閉空間内の熱を室内側に取り出すように構成した躯体蓄熱型空気調和システムに関する。
【０００２】
【従来の技術】
従来では、閉空間内に空気調和機を設け、その空気調和機に、室内側に連通した室内側吸い込み口と、閉空間側に連通した閉空間側吸い込み口とを接続し、各吸い込み口に開閉ダンパーを設けている。
【０００３】
また、天井板に吹き出し口を設けるとともに、その吹き出し口に開閉ダンパーを設けている。
そして、床スラブへの蓄熱状態では、室内側吸い込み口と吹き出し口それぞれを閉じ、閉空間側吸い込み口のみ開いて空気調和機を駆動し、閉空間内に温調空気を送風して床スラブに蓄熱する。
一方、室内空調状態では、閉空間側吸い込み口を閉じ、室内側吸い込み口と吹き出し口それぞれを開いて空気調和機の送風ファンのみを駆動し、閉空間と室内側とに温調空気を循環し、床スラブに蓄えられた熱を放出させて空調（冷房または暖房）を行うように構成されている。
【０００４】
【発明が解決しようとする課題】
しかしながら、従来の場合、空気調和機に室内側吸い込み口と閉空間側吸い込み口とを接続するためのダクトを設けたり、開閉ダンパーを設けたりするためにイニシャルコストが高くなる欠点があった。
また、空気調和機の送風ファンは容量が大きいにもかかわらず、床スラブへの蓄熱および室内空調のいずれの場合にも、上述の容量の大きい送風ファンを駆動するためにランニングコストも高くなる欠点があった。
【０００５】
本発明は、このような事情に鑑みてなされたものであって、請求項１に係る発明の躯体蓄熱型空気調和システムは、床スラブへの蓄熱状態と室内空調状態との切替えのための構成を簡単にしてイニシャルコストを低減できるようにするとともに、ランニングコストを低減できるようにし、更に、床スラブからの放熱を効率良く行えるようにするとともに、空調運転を、極力安価に行えるようにすることを目的とし、また、請求項２に係る発明の躯体蓄熱型空気調和システムは、環境温度の変化にかかわらず、所定の蓄熱を良好に行えるようにすることを目的とする。
【０００６】
【課題を解決するための手段】
請求項１に係る発明は、上述のような目的を達成するために、床スラブ下面と天井板との間に閉空間を形成し、前記閉空間内に空気調和機を設け、前記空気調和機からの温調空気によって前記床スラブに蓄熱するように構成した躯体蓄熱型空気調和システムにおいて、
前記天井板の所定箇所に、前記閉空間から室内空間に温調空気を送る吹き出しファンを設けるとともに、前記室内空間からの空気を前記閉空間内に戻す連通路を設け、前記天井板に、前記室内空間からの空気を前記閉空間内の前記床スラブに吹き付けるように戻して放熱させる吸い込みファンを設け、かつ、前記吸い込みファンの近くに、前記室内空間内の空気の温度を測定する室内用温度センサを設けるとともに空調運転開始信号を出力する空調開始手段を設け、前記室内用温度センサによる測定温度に基づいて、下記の第１、第２または第３の空調状態
［第１の空調状態：空調運転開始信号に応答して吹き出しファンのみを駆動する初期空調状態
第２の空調状態：前記吹き出しファンの駆動状態で、前記室内用温度センサによる測定温度が設定時間継続して設定空調温度に満たなくなったことを判別して前記吸い込みファンを駆動する放熱促進状態
第３の空調状態：前記吹き出しファンおよび前記吸い込みファンの駆動状態で、前記室内用温度センサによる測定温度が設定時間継続して設定空調温度に満たなくなったことを判別して、前記吸い込みファンの駆動を停止するとともに前記空気調和機を駆動する追いかけ運転状態］
が得られるように前記空気調和機、吹き出しファンおよび前記吸い込みファンを自動的に作動する制御手段を備えて構成する。
【０００７】
（削除）
【０００８】
（削除）
【０００９】
また、請求項４に係る発明は、
請求項１に記載の躯体蓄熱型空気調和システムにおいて、
空気調和機に吸い込み空気の温度を測定する閉空間用温度センサを設けるとともに、蓄熱運転開始信号を出力する蓄熱開始手段を設け、前記制御手段を、蓄熱運転開始信号に応答して前記空気調和機を駆動した後、前記閉空間用温度センサによる測定温度が設定温度を越えるとともに温度変化が無い状態が設定時間継続したことを判別して前記空気調和機の駆動を停止するように構成する。
【００１０】
【作用】
請求項１に係る発明の躯体蓄熱型空気調和システムの構成によれば、蓄熱時には、吹き出しファンの駆動を停止した状態で空気調和機を駆動することにより、空気調和機からの温調空気を閉空間内で循環させ、床スラブに蓄熱する。また、床スラブからの放熱時には、空気調和機の駆動を停止した状態で吹き出しファンを駆動することにより、吹き出しファンと連通路とを介して、閉空間と室内空間とにわたって温調空気を循環させ、床スラブに蓄えた熱により空調を行う。
また、吸い込みファンにより、室内空間からの空気を閉空間内の床スラブに吹き付けるように戻し、床スラブとの間での熱交換効率を高め、床スラブからの放熱を促進する。
そのうえ、吸い込みファンの停止状態では、室内空間内で循環流動する室内空間内の空気の温度によって、そして、吸い込みファンの停止状態では、吸い込みファンへの吸い込み空気の温度によって室内空間内の空気の温度を測定し、その室内空間内の空気の温度に基づき、運転開始初期や軽負荷時には、吹き出しファンのみを駆動する初期空調状態とし、また、通常負荷時には、吹き出しファンと吸い込みファンとを駆動する放熱促進状態とし、更に、高負荷時には、吹き出しファンと空気調和機とを駆動する追いかけ運転状態とし、それぞれの状況に応じ、必要最小限の機器を駆動して空調運転を行う。
【００１１】
（削除）
【００１２】
（削除）
【００１３】
また、請求項２に係る発明の躯体蓄熱型空気調和システムの構成によれば、空気調和機への吸い込み空気の温度によって閉空間内の空気の温度を測定し、その閉空間内の空気の温度に基づき、設定温度を越えるとともに温度変化が無い状態が設定時間継続したことにより、蓄熱の完了を判別し、空気調和機を自動的に停止して所定の蓄熱運転を行う。
【００１４】
【発明の実施の形態】
次に、本発明の実施例を図面に基づいて詳細に説明する。
【００１５】
図１は、本発明の躯体蓄熱型空気調和システムに係る実施例を示す全体概略構成図、図２は要部の拡大図であり、床スラブ１の下面と天井板２との間に閉空間Ｓが形成されるとともに、閉空間Ｓ内に空気調和機３が設けられている。
【００１６】
天井板２の所定箇所に、閉空間Ｓから、天井板２の下方の室内空間Ｒに温調空気を送る吹き出しファン４が設けられるとともに、室内空間Ｒからの空気を閉空間Ｓ内に戻す連通管５が設けられている。
また、天井板２の所定箇所に、室内空間Ｒからの空気を閉空間Ｓ内の床スラブ１に吹き付けるように戻して放熱させる吸い込みファン６が設けられている。
上記吹き出しファン４および吸い込みファン６それぞれとしては、室内空間の容積に応じ、必要な個数分が設けられる。
【００１７】
空気調和機３に吸い込み空気の温度を測定する閉空間用温度センサ７が設けられ、空気調和機３に吸い込まれる空気の温度を閉空間Ｓ内の温度として測定するようになっている。
【００１８】
また、吸い込みファン６の近くに、室内空間Ｒ内の温度を測定する室内用温度センサ８が設けられ、吸い込みファン６の停止状態では、室内空間Ｒ内を循環流動する空気の温度を室内空間Ｒ内の温度として測定し、吸い込みファン６の駆動状態では、吸い込みファン６に吸い込まれる空気の温度を室内空間Ｒ内の温度として測定するようになっている。
【００１９】
図３のブロック図に示すように、閉空間用温度センサ７および室内用温度センサ８それぞれが、制御手段としてのマイクロコンピュータ９に接続され、このマイクロコンピュータ９に、空気調和機３、吹き出しファン４および吸い込みファン６それぞれが接続されている。
また、マイクロコンピュータ９には、蓄熱開始手段としてのタイマ１０と、運転開始手段としての運転スイッチ１１と、空調温度設定器１２と、蓄熱温度設定器１３とが接続されている。
【００２０】
マイクロコンピュータ９には、空気調和機３の駆動を制御する第１の駆動手段１４と、吹き出しファン４の駆動を制御する第２の駆動手段１５と、吸い込みファン６の駆動を制御する第３の駆動手段１６と、蓄熱完了判別手段１７と、第１、第２および第３の比較手段１８，１９，２０と、第１、第２および第３のカウンタ２１，２２，２３と、温度差算出手段２４と、放熱判別手段２５と、追いかけ判別手段２６とが備えられている。
【００２１】
タイマ１０は、例えば、午前５時など、始業前の予め設定された時刻になると第１の駆動手段１４に蓄熱運転開始信号を出力するようになっている。蓄熱開始手段としては、例えば、蓄熱運転スイッチを設け、所定時刻に人為的にＯＮ・ＯＦＦして蓄熱運転開始信号を出力するように構成するものでも良い。
【００２２】
第１の駆動手段１４では、タイマ１０からの蓄熱運転開始信号、ならびに、追いかけ判別手段２６からの追いかけ運転信号に応答して空気調和機３に起動信号を出力し、空気調和機３を駆動するようになっている。
また、蓄熱完了判別手段１７からの蓄熱停止信号、ならびに、追いかけ判別手段２６からの追いかけ停止信号に応答して空気調和機３に停止信号を出力し、空気調和機３の駆動を停止するようになっている。
【００２３】
第１の比較手段１８では、蓄熱温度設定器１３からの設定蓄熱温度ＴＳと、閉空間用温度センサ７で測定される蓄熱温度ｔＳとを比較し、蓄熱温度ｔＳが設定蓄熱温度ＴＳを越えたかどうかを比較し、設定蓄熱温度ＴＳを越えたときに、温度差算出手段２４に比較出力を出すようになっている。ここで、蓄熱温度ｔＳが設定蓄熱温度ＴＳを越えるとは、冷房の場合には、設定蓄熱温度よりも低くなったことを意味し、そして、暖房の場合には、設定蓄熱温度よりも高くなったことを意味する。
【００２４】
温度差算出手段２４では、第１の比較手段１８からの比較出力に応答して、そのときの測定蓄熱温度ｔＳ２を入力し、そのときの測定蓄熱温度ｔＳ２と一回前の測定蓄熱温度ｔＳ１との温度差ΔｔＳ（＝｜ｔＳ２−ｔＳ１｜）を算出する。第２の比較手段１９では、温度差算出手段２４からの温度差ΔｔＳと設定温度差ｔｎとを比較し、温度差ΔｔＳが設定温度差ｔｎよりも小さくなったときに、第１のカウンタ２１に起動信号を出力するようになっている。
【００２５】
蓄熱完了判別手段１７では、第１のカウンタ２１から入力されるカウント数ＣＴＡと設定値ＣＴ１とを比較し、設定値ＣＴ１を越えたとき、すなわち、閉空間Ｓ内での温調空気の温度変化が少なくなった状態が設定時間継続したときに、蓄熱が完了したとして、第１の駆動手段１４に蓄熱停止信号を出力し、空気調和機３の駆動を停止するようになっている。
【００２６】
第２の駆動手段１５では、運転スイッチ１１からの空調運転開始信号に応答して吹き出しファン４に起動信号を出力し、吹き出しファン４を駆動するようになっている。また、第３の比較手段２０からの空調停止信号に応答して吹き出しファン４に停止信号を出力し、吹き出しファン４の駆動を停止するようになっている。
【００２７】
第３の比較手段２０では、空調温度設定器１２からの設定空調温度ＴＲと、室内用温度センサ８で測定される室内温度ｔＲとを比較し、室内温度ｔＲが設定空調温度ＴＲを越えたかどうかを比較し、設定空調温度ＴＲを越えたときに、第２の駆動手段１５に空調停止信号を出力するようになっている。一方、設定空調温度ＴＲを越えていないときには、第２および第３のカウンタ２２，２３に起動信号を出力するようになっている。ここで、室内温度ｔＲが設定空調温度ＴＲを越えるとは、冷房の場合には、設定空調温度よりも低くなったことを意味し、そして、暖房の場合には、設定空調温度よりも高くなったことを意味する。
【００２８】
放熱判別手段２５では、第２のカウンタ２２から入力されるカウント数ＣＴＢと設定値ＣＴ２とを比較し、設定値ＣＴ２を越えたとき、すなわち、室内空間Ｒ内での温調空気の温度が設定空調温度に満たなくなった状態が設定時間継続したときに、放熱量が少なくなったとして、第３の駆動手段１６に放熱信号を出力し、吸い込みファン６を駆動するようになっている。
【００２９】
また、放熱判別手段２５からの放熱信号は、計時許容信号として第３のカウンタ２３に入力され、吹き出しファン４および吸い込みファン６の両方が駆動状態にあるときに、第３の比較手段２０からの起動信号に応答して計時し、そのカウント数ＣＴＣを追いかけ判別手段２６に出力するようになっている。
【００３０】
追いかけ判別手段２６では、第３のカウンタ２３からのカウント数ＣＴＣと設定値ＣＴ３とを比較し、設定値ＣＴ３を越えたとき、すなわち、室内空間Ｒ内での温調空気の温度が設定空調温度に満たなくなった状態が設定時間継続したときに、蓄熱分の放熱では賄えなくなったとして、第３の駆動手段１６に停止信号を出力して吸い込みファン６の駆動を停止するとともに、第１の駆動手段１４に追いかけ運転信号を出力し、空気調和機３を駆動するようになっている。
【００３１】
次に、冷房の場合を例にして、上記マイクロコンピュータ９による制御動作につき、図４および図５のフローチャートを用いて詳述する。
【００３２】
図４のフローチャートに示すように、先ず、タイマ１０で設定された蓄熱開始時刻になったかどうかを判別し（Ｓ１）、蓄熱開始時刻になるに伴って蓄熱運転開始信号を第１の駆動手段１４に出力し（Ｓ２）、空気調和機３を駆動する。
【００３３】
次いで、ステップＳ３に移行し、閉空間用温度センサ７で測定される蓄熱温度ｔＳが、蓄熱温度設定器１３からの設定蓄熱温度ＴＳよりも低くなったかどうかを判別し、設定蓄熱温度ＴＳよりも低くなったときには、温度差算出手段２４において、そのときの測定蓄熱温度ｔＳ２と一回前の測定蓄熱温度ｔＳ１との温度差ΔｔＳ（＝｜ｔＳ２−ｔＳ１｜）を算出して（Ｓ４）から、ステップＳ５に移行して温度差ΔｔＳと設定温度差ｔｎとを比較し、温度差ΔｔＳが設定温度差ｔｎよりも小さくなったときには、第１のカウンタ２１に起動信号を出力して第１のカウンタ２１を起動する（Ｓ６）。
【００３４】
その後、第１のカウンタ２１から入力されるカウント数ＣＴＡが設定値ＣＴ１を越えたかどうかを判別する（Ｓ７）。設定値ＣＴ１を越えていなければステップＳ３に戻す。また、ステップＳ３において、蓄熱温度ｔＳが設定蓄熱温度ＴＳよりも高くなったとき、あるいは、温度差ΔｔＳが設定温度差ｔｎよりも大きくなったときには、いずれもステップＳ８に移行し、第１のカウンタ２１をリセットしてからステップＳ３に戻す。
【００３５】
ステップＳ７において、カウント数ＣＴＡが設定値ＣＴ１を越えたことを判別したとき、すなわち、閉空間Ｓ内での温調空気の温度変化が少なくなった状態が設定時間（例えば、５分間など）継続したときには、蓄熱が完了したとして、第１の駆動手段１４に蓄熱停止信号を出力し、空気調和機３の駆動を停止する（Ｓ９）。
【００３６】
以上の動作によって蓄熱を自動的に行う。なお、暖房の場合には、ステップＳ３において、蓄熱温度ｔＳが設定蓄熱温度ＴＳよりも高くなったかどうかを判別し、蓄熱温度ｔＳが設定蓄熱温度ＴＳよりも高くなったときにＹＥＳ側に移行するようにすればよい。
【００３７】
その後、図５のフローチャートに示すように、運転スイッチ１１がＯＮされたかどうかを判別し（Ｓ１１）、運転スイッチ１１のＯＮに伴って第２の駆動手段１５に空調運転開始信号を出力し（Ｓ１２）、吹き出しファン４を駆動する。
【００３８】
次いで、室内用温度センサ８で測定される室内温度ｔＲが設定空調温度ＴＲよりも低いかどうかを判別し（Ｓ１３）、設定空調温度ＴＲよりも低いときに、第２の駆動手段１５に空調停止信号を出力し（Ｓ１４）、吹き出しファン４の駆動を停止するとともに、第２のカウンタ２２をリセットして（Ｓ１５）からステップＳ１３に戻す。
【００３９】
室内温度ｔＲが設定空調温度ＴＲよりも高いときには、ステップＳ１６に移行し、第２のカウンタ２２を起動してから、その第２のカウンタ２２から入力されるカウント数ＣＴＢが設定値ＣＴ２を越えたかどうかを判別する（Ｓ１７）。設定値ＣＴ２を越えていなければステップＳ１２に戻す。
【００４０】
カウント数ＣＴＢが設定値ＣＴ２を越えれば、室内空間Ｒ内での温調空気の温度が設定空調温度に満たなくなった状態が設定時間（例えば、15分間など）継続して放熱量が少なくなったとして、第２のカウンタ２２をリセットして（Ｓ１８）から第３の駆動手段１６に放熱信号を出力し（Ｓ１９）、吸い込みファン６を駆動する。
【００４１】
その後に、室内用温度センサ８で測定される室内温度ｔＲが設定空調温度ＴＲよりも低いかどうかを判別し（Ｓ２０）、室内温度ｔＲが設定空調温度ＴＲよりも低くなれば、所定の空調温度になっているために、第３の駆動手段１６に放熱停止信号を出力し（Ｓ２１）、吸い込みファン６の駆動を停止し、第３のカウンタ２３をリセットして（Ｓ２２）からステップＳ２０に戻す。
【００４２】
ステップＳ２０において、室内温度ｔＲが設定空調温度ＴＲよりも高くなれば、ステップＳ２３に移行して第３のカウンタ２３を起動してから、その第３のカウンタ２３から入力されるカウント数ＣＴＣが設定値ＣＴ３を越えたかどうかを判別する（Ｓ２４）。設定値ＣＴ３を越えていなければステップＳ１９に戻し、第３の駆動手段１６に放熱信号を出力して、吸い込みファン６を駆動する。
【００４３】
カウント数ＣＴＣが設定値ＣＴ３を越えれば、室内空間Ｒ内での温調空気の温度が設定空調温度に満たなくなった状態が設定時間（例えば、15分間など）継続し、吸い込みファン６の駆動により放熱を促進しても放熱量が足らなくなったとして、第３の駆動手段１６に放熱停止信号を出力し（Ｓ２５）、吸い込みファン６の駆動を停止する。
【００４４】
その後に、第３のカウンタ２３をリセットして（Ｓ２６）からステップＳ２７に移行し、第１の駆動手段１４に追いかけ運転信号を出力し、空気調和機３を駆動して追いかけ運転を行う。
【００４５】
その追いかけ運転状態で、室内用温度センサ８で測定される室内温度ｔＲが設定空調温度ＴＲよりも低いかどうかを判別し（Ｓ２８）、室内温度ｔＲが設定空調温度ＴＲよりも低くなれば、所定の空調温度になっているために、第１の駆動手段１４に追いかけ停止信号を出力し（Ｓ２９）、空気調和機３の駆動を停止してからステップＳ２８に戻す。
【００４６】
ステップＳ２８で室内温度ｔＲが設定空調温度ＴＲよりも高くなれば、第１の駆動手段１４に追いかけ運転信号を出力し（Ｓ２７）、空気調和機３を駆動して追いかけ運転を行う。図示しないが、この後、運転スイッチ１１がＯＦＦになるまで、この追いかけ運転を繰り返し行うことになる。
【００４７】
上記ステップＳ１１からステップＳ１７までが、特許請求の範囲の第１の状態である初期空調状態に相当する。また、ステップＳ１８からステップＳ２４までが、特許請求の範囲の第２の状態である放熱促進状態に相当する。更に、ステップＳ２５からステップＳ２９までが、特許請求の範囲の第３の状態である追いかけ運転状態に相当する。
【００４８】
なお、暖房の場合は、上記ステップＳ１３、ステップＳ２０およびステップＳ２８それぞれにおいて、室内温度ｔＲが設定空調温度ＴＲよりも高くなったかどうかを判別し、室内温度ｔＲが設定空調温度ＴＲよりも高ければＹＥＳ側に、そして、低ければＮＯ側にそれぞれ移行することになる。
【００４９】
上述制御において、例えば、始業時など、冷房の場合で急激に所定の温度まで下げたいとか、あるいは、暖房の場合で急激に所定の温度まで上げたいといったときには、人為的な切り換え操作により、前述制御に優先して、吹き出しファン４、吸い込みファン６および空気調和機３のすべてを強制的に駆動し、床スラブ１から放熱させながら、空気調和機３からも冷風あるいは温風を供給するようにできるものである。また、このことに鑑み、例えば、１日の内で最初に運転スイッチ１１が入った時にのみ、例えば、１０分間などの所定時間だけ、吹き出しファン４、吸い込みファン６および空気調和機３のすべてを強制的に駆動する動作をプログラムに組み込むようにしても良い。
【００５０】
上記実施例では、室内空間Ｒからの空気を閉空間Ｓ内に戻すのに、比較的長い連通管５を設け、床スラブ１に近い位置に戻すようにしているが、本発明としては、単に開口を形成するものでも良く、それらをして連通路と総称する。
【００５１】
また、上記実施例では、蓄熱運転時の空気調和機３の駆動状態で、閉空間Ｓ内の温度が設定温度を越えるとともに温度変化が無い状態が設定時間継続したことに基づいて蓄熱を完了するように構成しているが、例えば、床スラブ１内の所定の深さ箇所に躯体温度を測定する温度センサを埋設し、その温度センサの測定温度が、冷房の場合には設定温度以下に、そして、暖房の場合には設定温度以上にそれぞれなったことに基づいて蓄熱を完了するように構成しても良い。また、本発明としては、午前５時間など、設定時間だけ空気調和機３を駆動して蓄熱するように構成するものでも良い。
【００５２】
また、本発明としては、説明していないが、空気調和機３を構成するのに、そのコイルに室外熱交換器を接続するものとか、氷蓄熱システムの凝縮器などを接続するものなど、各種の構成が採用できる。
【００５３】
【発明の効果】
以上説明したように、請求項１に係る発明の躯体蓄熱型空気調和システムによれば、床スラブからの放熱を、空気調和機の駆動を停止した状態で吹き出しファンを駆動することにより行うから、従来のダクトや開閉ダンパーを不要にでき、しかも、閉空間と室内空間とにわたって温調空気を循環させるだけで済むから、吹き出しファンとして、空気調和機の送風ファンに比べて容量の小さいものを、室内空間の容積に応じた分だけ用いることができ、全体として、構成が簡単でイニシャルコストを低減できるとともに、電力消費量少なくランニングコストを低減できる。
また、吸い込みファンにより、室内空間からの空気を閉空間内の床スラブに吹き付け、床スラブとの間での熱交換効率を高めて床スラブからの放熱を促進するから、床スラブからの放熱を効率良く行え、床スラブに蓄えられた熱を十分利用して空調を行なうことができ、高負荷時でも、追いかけ運転のために空気調和機を駆動する時間を短くでき、一層ランニングコストを低減できる。
更に、空調時には、高負荷時の追いかけ運転状態の時にのみ空気調和機を駆動するといったように、室内空間内での空気の温度状況に応じ、必要最小限の熱を確保するのに最適な機器だけを駆動するように制御するから、空調運転を極力安価に行える。
【００５４】
（削除）
【００５５】
（削除）
【００５６】
また、請求項２に係る発明の躯体蓄熱型空気調和システムによれば、例えば、冷房に備えての蓄熱を行う場合に、始業前に設定時間だけ蓄熱運転を行うように構成すると、外気温度が高い場合には蓄熱不足になり、逆に、外気温度が低い場合には、所定の蓄熱が完了しているにもかからず空気調和機を長時間駆動するために不経済になるが、本発明によれば、閉空間内の空気の温度に基づいて蓄熱の完了を判別し、空気調和機を自動的に停止するから、外気温度のいかんにかかわらず、常に所定の蓄熱状態が得られるように蓄熱運転を行うことができ、所定の蓄熱を過不足無く良好に行える。
【図面の簡単な説明】
【図１】本発明に係る躯体蓄熱型空気調和システムの実施例を示す全体概略構成図である。
【図２】要部の拡大図である。
【図３】ブロック図である。
【図４】蓄熱状態の動作を説明するフローチャートである。
【図５】空調状態の動作を説明するフローチャートである。
【符号の説明】
１…床スラブ
２…天井板
３…空気調和機
４…吹き出しファン
５…連通路
６…吸い込みファン
７…閉空間温度センサ
８…室内用温度センサ
９…制御手段としてのマイクロコンピュータ
Ｓ…閉空間
Ｒ…室内空間
【図１】
0003549379.tif 000002
【図２】
0003549379.tif 000003
【図３】
0003549379.tif 000004
【図４】
0003549379.tif 000005
【図５】
0003549379.tif 000006